【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
無線通信システムにおいて端末が下りリンク制御情報を受信する方法であって、
各々が１ＲＢ(ｒｅｓｏｕｒｃｅ  ｂｌｏｃｋ)及び１ＯＦＤＭ(ｏｒｔｈｏｇｏｎａｌ  ｆｒｅｑｕｅｎｃｙ  ｄｉｖｉｓｉｏｎａｌ  ｍｕｌｔｉｐｌｅｘｉｎｇ)シンボルに対応するＲＥＧ(ｒｅｓｏｕｒｃｅ  ｅｌｅｍｅｎｔ  ｇｒｏｕｐ)に関するバンドリング(ｂｕｎｄｌｉｎｇ)情報を上位階層シグナリングを通じて受信する段階と、
複数のＯＦＤＭシンボル上に設定された制御リソースセット(ＣＯＲＥＳＥＴ)内で物理下りリンク制御チャネル(ＰＤＣＣＨ)に対するブラインド検出を行う段階と、
前記ブラインド検出されたＰＤＣＣＨから下りリンク制御情報(ＤＣＩ)を得る段階とを含み、
前記ＰＤＣＣＨに対するブラインド検出において、前記端末は、
前記バンドリング情報が第１の値を指示すると、前記ＣＯＲＥＳＥＴ内で同一のＲＢ上に位置し、異なるＯＦＤＭシンボルに対応するＲＥＧのみが１つのＲＥＧバンドルとしてバンドルされるようにバンドリングを実行し、
前記バンドリング情報が第２の値を指示すると、前記ＣＯＲＥＳＥＴ内で同一のＲＢ上に位置し、異なるＯＦＤＭシンボルに対応するＲＥＧが、異なるＲＢ上に位置するＲＥＧと共に１つのＲＥＧバンドルとしてバンドルされるようにバンドリングを実行し、
前記端末は、ＲＥＧバンドリングの結果として同一のＲＥＧバンドルに属するＲＥＧに対して同一のプリコーディングを仮定して前記ＰＤＣＣＨのブラインド検出を行う、方法。
【請求項２】
前記バンドリング情報が前記第１の値を指示する場合、１ＲＥＧバンドルのサイズが前記ＣＯＲＥＳＥＴを構成する前記複数のＯＦＤＭシンボルの数と同一に設定される、請求項１に記載の方法。
【請求項３】
前記バンドリング情報が前記第２の値を指示する場合、１ＲＥＧバンドルのサイズは１ＣＣＥ(ｃｏｎｔｒｏｌ  ｃｈａｎｎｅｌ  ｅｌｅｍｅｎｔ)に含まれるＲＥＧの数と同一に設定される、請求項１又は２に記載の方法。
【請求項４】
前記ＣＯＲＥＳＥＴを含む１つ又は２つ以上のＣＯＲＥＳＥＴが前記端末に設定され、
前記１つ又は２つ以上のＣＯＲＥＳＥＴの各々に前記バンドリング情報及びＣＣＥ−ｔｏ−ＲＥＧマッピングタイプが指示される、請求項１に記載の方法。
【請求項５】
前記バンドリング情報は１ＲＥＧバンドルに含まれるＲＥＧの数を示すバンドルサイズ情報を含む、請求項１又は４に記載の方法。
【請求項６】
前記ＣＯＲＥＳＥＴのＣＣＥ−ｔｏ−ＲＥＧマッピングタイプは、
局在(ｌｏｃａｌｉｚｅｄ)マッピングタイプとインターリービング(ｉｎｔｅｒｌｅａｖｅｄ)マッピングタイプのうち、前記インターリービングマッピングタイプに設定される、請求項１に記載の方法。
【請求項７】
前記ＣＣＥ−ｔｏ−ＲＥＧマッピングのためのインターリービングは、ＲＥＧバンドルインデックスを用いてＲＥＧバンドル単位で行われる、請求項６に記載の方法。
【請求項８】
前記ＣＣＥ−ｔｏ−ＲＥＧマッピングタイプにしたがって、支援されるバンドルのサイズは異なるように決定される、請求項４又は６に記載の方法。
【請求項９】
前記バンドリング情報は、同一のＣＣＥに属するＲＥＧのバンドリングのためのイントラ(ｉｎｔｒａ)−ＣＣＥバンドルのサイズ情報、及び異なるＣＣＥに属するＲＥＧのバンドリングためのインタ(ｉｎｔｅｒ)−ＣＣＥバンドルのサイズ情報のうちの少なくとも１つを含み、
前記バンドリング情報が前記インタ−ＣＣＥバンドルのサイズ情報を含む場合、前記端末は同一のインタ−ＣＣＥバンドルに属する異なるＣＣＥのＲＥＧに対して同一のプリコーディングを仮定して前記ＰＤＣＣＨのブラインド検出を行う、請求項１に記載の方法。
【請求項１０】
前記バンドリング情報が前記第１の値を指示すると、前記端末は時間ドメインＲＥＧバンドリングを行い、
前記バンドリング情報が前記第２の値を指示すると、前記端末は時間−周波数ドメインＲＥＧバンドリングを行う、請求項１に記載の方法。
【請求項１１】
前記ＣＯＲＥＳＥＴを構成する前記複数のＯＦＤＭシンボルの数は２又は３である、請求項１に記載の方法。
【請求項１２】
前記端末は、前記同一のＲＥＧバンドルに属するＲＥＧを通じて受信される参照信号に同一のプリコーディングが適用されたと仮定して前記ＰＤＣＣＨに対する復調(ｄｅｍｏｄｕｌａｔｉｏｎ)を行う、請求項１に記載の方法。
【請求項１３】
無線通信システムにおいて基地局が下りリンク制御情報を送信する方法であって、
各々が１ＲＢ(ｒｅｓｏｕｒｃｅ  ｂｌｏｃｋ)及び１ＯＦＤＭ(ｏｒｔｈｏｇｏｎａｌ  ｆｒｅｑｕｅｎｃｙ  ｄｉｖｉｓｉｏｎａｌ  ｍｕｌｔｉｐｌｅｘｉｎｇ)シンボルに対応するＲＥＧ(ｒｅｓｏｕｒｃｅ  ｅｌｅｍｅｎｔ  ｇｒｏｕｐ)に関するバンドリング(ｂｕｎｄｌｉｎｇ)情報を上位階層シグナリングを通じて送信する段階と、
複数のＯＦＤＭシンボル上に設定された制御リソースセット(ＣＯＲＥＳＥＴ)内で物理下りリンク制御チャネル(ＰＤＣＣＨ)を通じて下りリンク制御情報(ＤＣＩ)を送信する段階を含み、
前記ＤＣＩを送信する段階において、前記基地局は、
前記バンドリング情報が第１の値を指示すると、前記ＣＯＲＥＳＥＴ内で同一のＲＢ上に位置し、異なるＯＦＤＭシンボルに対応するＲＥＧのみが１つのＲＥＧバンドルとしてバンドルされるようにバンドリングを実行し、
前記バンドリング情報が第２の値を指示すると、前記ＣＯＲＥＳＥＴ内で同一のＲＢ上に位置し、異なるＯＦＤＭシンボルに対応するＲＥＧが、異なるＲＢ上に位置するＲＥＧと共に１つのＲＥＧバンドルとしてバンドルされるようにバンドリングを実行し、
前記基地局は、ＲＥＧバンドリングの結果として同一のＲＥＧバンドルに属するＲＥＧに対して同一のプリコーディングを適用して前記ＤＣＩを送信する、方法。
【請求項１４】
下りリンク制御情報を受信する端末であって、
受信器と、
前記受信器を用いて各々が１ＲＢ(ｒｅｓｏｕｒｃｅ  ｂｌｏｃｋ)及び１ＯＦＤＭ(ｏｒｔｈｏｇｏｎａｌ  ｆｒｅｑｕｅｎｃｙ  ｄｉｖｉｓｉｏｎａｌ  ｍｕｌｔｉｐｌｅｘｉｎｇ)シンボルに対応するＲＥＧ(ｒｅｓｏｕｒｃｅ  ｅｌｅｍｅｎｔ  ｇｒｏｕｐ)に関するバンドリング(ｂｕｎｄｌｉｎｇ)情報を上位階層シグナリングを通じて受信し、複数のＯＦＤＭシンボル上に設定された制御リソースセット(ＣＯＲＥＳＥＴ)内で物理下りリンク制御チャネル(ＰＤＣＣＨ)に対するブラインド検出を行い、前記ブラインド検出されたＰＤＣＣＨから下りリンク制御情報(ＤＣＩ)を得るプロセッサを含み、
前記ＰＤＣＣＨに対するブラインド検出において、前記プロセッサは、
前記バンドリング情報が第１の値を指示すると、前記ＣＯＲＥＳＥＴ内で同一のＲＢ上に位置し、異なるＯＦＤＭシンボルに対応するＲＥＧのみが１つのＲＥＧバンドルとしてバンドルされるようにバンドリングを実行し、
前記バンドリング情報が第２の値を指示すると、前記ＣＯＲＥＳＥＴ内で同一のＲＢ上に位置し、異なるＯＦＤＭシンボルに対応するＲＥＧが、異なるＲＢ上に位置するＲＥＧと共に１つのＲＥＧバンドルとしてバンドルされるようにバンドリングを実行し、
前記プロセッサは、ＲＥＧバンドリングの結果として同一のＲＥＧバンドルに属するＲＥＧに対して同一のプリコーディングを仮定して前記ＰＤＣＣＨのブラインド検出を行う、端末。
【請求項１５】
下りリンク制御情報を送信する基地局であって、
送信器と、
前記送信器を用いて各々が１ＲＢ(ｒｅｓｏｕｒｃｅ  ｂｌｏｃｋ)及び１ＯＦＤＭ(ｏｒｔｈｏｇｏｎａｌ  ｆｒｅｑｕｅｎｃｙ  ｄｉｖｉｓｉｏｎａｌ  ｍｕｌｔｉｐｌｅｘｉｎｇ)シンボルに対応するＲＥＧ(ｒｅｓｏｕｒｃｅ  ｅｌｅｍｅｎｔ  ｇｒｏｕｐ)に関するバンドリング(ｂｕｎｄｌｉｎｇ)情報を上位階層シグナリングを通じて送信し、複数のＯＦＤＭシンボル上に設定された制御リソースセット(ＣＯＲＥＳＥＴ)内で物理下りリンク制御チャネル(ＰＤＣＣＨ)を通じて下りリンク制御情報(ＤＣＩ)を送信するプロセッサを含み、
前記ＤＣＩの送信において、前記プロセッサは、
前記バンドリング情報が第１の値を指示すると、前記ＣＯＲＥＳＥＴ内で同一のＲＢ上に位置し、異なるＯＦＤＭシンボルに対応するＲＥＧのみが１つのＲＥＧバンドルとしてバンドルされるようにバンドリングを実行し、
前記バンドリング情報が第２の値を指示すると、前記ＣＯＲＥＳＥＴ内で同一のＲＢ上に位置し、異なるＯＦＤＭシンボルに対応するＲＥＧが、異なるＲＢ上に位置するＲＥＧと共に１つのＲＥＧバンドルとしてバンドルされるようにバンドリングを実行し、
前記プロセッサは、ＲＥＧバンドリングの結果として同一のＲＥＧバンドルに属するＲＥＧに対して同一のプリコーディングを適用して前記ＤＣＩを送信する、基地局。
【請求項１６】
請求項１に記載される方法を実行するためのプラグラムコードを記録したコンピュータ読み取り可能な媒体。